(57)【特許請求の範囲】
【請求項１】
釣竿の先端にテグス糸の一端を固定し、他端に重りを接続し、前記釣竿を移動して前記重りを水底で引きずり移動することにより、前記重りが水底で移動されるときに発生する振動が前記テグス糸を横波で伝搬し、該横波が前記釣竿で縦波に変換されて伝搬することにより、該縦波を前記釣竿に装着した振動−信号変換器で検出し、該振動−信号変換器の出力をイヤーホン又は外部スピーカで音として聞くことにより水底の状態を検出することを特徴とする水底の底質探査方法。
【請求項２】
前記振動−信号変換器にマイクロホンを釣竿と接触させるように装着したことを特徴とする請求項１記載の水底の底質探査方法。
【請求項３】
前記テグス糸は前記釣竿に装着されたリールにより巻き取り又は引き出されるように構成することを特徴とする請求項１記載の水底の底質探査方法。
【請求項４】
釣竿に固定されるケースと、該ケース内の前記釣竿との接触面に装着したマイクロホン、前記ケース内に装着した増幅器、電池及び接続プラグからなる信号−振動変換器と、該信号−振動変換器の前記接続プラグに接続したイヤーホン又は外部スピーカと、前記釣竿の先端に一端が固定され、他端に重りを設けたテグス糸とからなることを特徴とする水底の底質探査装置。
【請求項５】
前記テグス糸は前記釣竿に装着されたリールにより巻き取り又は引き出されるように構成することを特徴とする請求項４記載の水底の底質探査装置。
【発明の詳細な説明】
【０００１】
【産業上の利用分野】
本発明は、水底の状態を簡単な装置で探査することができる水底の底質探査方法及び装置に関するものである。
【０００２】
【従来の技術】
従来、水底を探査する装置としては、船底又は船の側部に超音波振動子を装着した送受信機を装着し、この送受信機から超音波振動子にパルス信号を出力すると、超音波振動子から超音波が水底で発射され、この超音波のエコーを超音波振動子で受信し、この受信したエコーによる電気信号を表示装置で表示することによって水底の状態を探査することがて行われている。
【０００３】
【発明が解決しようとする課題】
しかしながら、このような水底を探査する装置では、水底の大体の起伏を知ることはできるが、水底が砂地であるか、小石が多い状態か、泥が多い状態かを知ることはできないという問題があつた。
【０００４】
【課題を解決するための手段】
本発明は、釣竿の先端にテグス糸の一端を固定し、他端に重りを接続し、前記釣竿を移動して前記重りを水底で引きずり移動することにより、前記重りが水底で移動されるときに発生する振動が前記テグス糸を横波で伝搬し、該横波が前記釣竿で縦波に変換されて伝搬することにより、該縦波を前記釣竿に装着した振動−信号変換器で検出し、該振動−信号変換器の出力をイヤーホン又は外部スピーカで音として聞くことにより水底の状態を検出するものである。
【０００５】
【実施の態様】
本発明によれば、釣竿から引き出したテグス糸の先端に接続した重りを水底で引きずることにより、水底の状態、すなわち砂地、小石が多い砂地や岩地又は泥地等のそれぞれの状態に応じて、テグス糸に伝搬される横波の振動が異なり、この振動を釣竿で縦波に変換され、この振動を釣竿の振動−信号変換器で検出し、この信号をイヤーホン又は外部スピーカに入力して検出することにより、例えば、砂地では、「ざっざっ」という音が検出され、又、小石が多い砂地では「がりがり」という音が検出され、さらに、泥地では、あまり音が聞こえず、たまに泥の中に混じる小石の音が「こつこつ」と聞こえるので、このような音から水底の状態を検出することができる。
【０００６】
【実施例】
図１は、本発明の１実施例の原理を説明する説明図で、人１が釣竿２の先端に一端が接続されたテグス糸３の他端に接続された重り４を水中５に投げ込むことにより、重り４が水底６に沈むので、釣竿２を上下することにより重り４を手前に引きずると、重り４は水底６を擦りながら移動し、そのときに発生する振動がテグス糸３に横波として伝搬され、さらに、釣竿２で縦波として伝搬される。
【０００７】
この釣竿２に伝搬される縦波を釣竿に装着した振動−信号変換器７で検出し、この検出した振動はコード８を伝わってイヤーホン９に入力され、釣竿２に伝搬された振動を人１が音波として検出することができる。
【０００８】
本発明では、このように、重り４を水底６で引きずることにより発生する振動がテグス糸３に横波で伝搬され、又、釣竿２に縦波で伝搬され、振動−信号変換器７でこの縦波を検出し、イヤーホン９で音に変換することにより、「ざっざっ」という音より、砂地を検出し、「がりがり」という音により小石の多い砂地を検出し、さらに、「がらがら」という音より岩場を検出し、たまに「こつこつ」という音により小石の多い砂地を検出することができる。
【０００９】
図２は図１の振動−信号変換器の構成図で、釣竿２に固定された振動−信号変換器７には、ケース１０にマイクロホン１１が釣竿２に接触するように装着され、又、ケース１０内にマイクロホン１１で検出した信号を増幅する増幅器１２及び増幅器１２の電源である電池１３が装着され、さらに、ケース１０にプラグ端子１４が装着され、このプラグ端子１４にコード８を介してイヤーホン９が接続されている。
【００１０】
本実施例では、振動−信号変換器７のマイクロホン１１により釣竿２に伝達された振動を検出し、この検出された信号を増幅器１２で増幅してプラグ端子１４からイヤーホン９に伝達することにより、人１が音として振動を検出することができる。
【００１１】
図３は、本発明の他の実施例の釣竿の構成図で、釣竿２の手元の部分に受信機７が装着され、この受信機７のプラグ端子１４にコード８を介してイヤーホンが接続されており、又、リール１５を釣竿２に装着してテグス糸３を引き出し又は巻き取るようにしている。
【００１２】
本実施例は、このように構成することによって、重り４を遠くに投入することができ、それによって広い範囲の水底を探査することができ、又、テグス糸４は図１に示すように釣竿２の先端に固定されていなくても、釣竿２のガイドに接触されているだけで、重り４で発生した信号を有効に釣竿２に伝達することができる。
【００１３】
なお、上記実施例では、振動−信号変換器７の出力をイヤーホン９に入力するようにしたが、イヤーホン９の代わりに外部スピーカを接続擦るようにしてもよい。
【００１４】
【発明の効果】
以上説明したように、本発明の水底の底質探査方法又は装置では、テグス糸に接続した重りを水底で引きずるという簡単な構成により、重りが水底で擦れる振動をテグス糸で横波に変換し、釣竿で縦波に変換し、この縦波をマイクロホンで検出してイヤーホン又は外部スピーカで音として検出するので、水底の状態を簡単に検出することができ、キス釣りなどのポイントを探るのに非常に有用性があるという利点がある。
【図面の簡単な説明】
【図１】本発明の１実施例の原理を説明する説明図である。
【図２】図１の受信機の構成図である。
【図３】本発明の他の実施例の釣竿の構成図である。
【符号の説明】
１                  人
２                  釣竿
３                  テグス糸
４                  重り
５                  水中
６                  水底
７                  受信機
８                  コード
９                  イヤーホン
１０                ケース
１１                マイクロホン
１２                増幅器
１３                電池
１４                プラグ端子
１５                リール
【図１】
0003664827.tif 000002
【図２】
0003664827.tif 000003
【図３】
0003664827.tif 000004